(57)【要約】【課題】分かりやすい自然な感覚の操作により、コンソールボックスの蓋体を開状態でロックするカムロック機構のロック解除を可能とし、その操作性の向上を図る。【解決手段】ボックス本体１２と、このボックス本体の開口部が開放された開状態および該開口部が閉ざされた閉状態に操作することが可能な蓋体２０と、ボックス本体１２と蓋体２０との間に設けられて蓋体を開状態でロックするように機能するカムロック機構３０とを備えたコンソールボックスであって、ボックス本体１２の側に操作力の伝達部材４０が設けられている。この伝達部材４０の操作により、カムロック機構３０に対してそのロックを解除するための操作力を与えるように構成されている。【選択図】図３
2010173449.tif 000002
【特許請求の範囲】
【請求項１】
開口部を有するボックス本体と、このボックス本体の開口部が開放された開状態および該開口部が閉ざされた閉状態に操作することが可能な蓋体と、ボックス本体と蓋体との間に設けられて蓋体を開状態でロックするように機能するカムロック機構とを備えたコンソールボックスであって、
ボックス本体の側に操作力の伝達部材が設けられ、この伝達部材の操作により、カムロック機構に対してそのロックを解除するための操作力を与えるように構成されているコンソールボックス。
【請求項２】
請求項１に記載されたコンソールボックスであって、
操作力の伝達部材は、その操作部がコンソールボックスの前方側に位置するように配置されているコンソールボックス。
【発明の詳細な説明】
【技術分野】
【０００１】
本発明は、コンソールボックスに関し、詳しくはボックス本体の開口部が開放された開状態および該開口部が閉ざされた閉状態に操作することが可能な蓋体を開状態でロックする形式のコンソールボックスに関する。
【背景技術】
【０００２】
この種のコンソールボックスとしては、例えば特許文献１に開示された技術が既に知られている。この技術では、ボックス本体と、その開口部を開閉する蓋体との間にハートカムを用いたカムロック機構が設けられている。このカムロック機構は、蓋体を開状態でロックするように機能し、そのロックを解除することによって蓋体を閉状態に操作できる構成になっている。そして、カムロック機構は、開状態に保持されている蓋体をさらに開方向へ押すことによってロックが解除される。
【先行技術文献】
【特許文献】
【０００３】
【特許文献１】特開２００８−１４９８１６号公報
【発明の概要】
【発明が解決しようとする課題】
【０００４】
特許文献１に開示されている技術では、蓋体を開状態でロックしているカムロック機構のロックを解除するとき、この蓋体を開方向へ押しているので、操作感覚としては不自然であり、分かりにくい。また、操作者は開状態に保持されている蓋体を直接操作することから、腕を後方側にもっていく必要があり、身体に負担がかかる操作になる。
【０００５】
本発明は、このような課題を解決しようとするもので、その一つの目的は、分かりやすい自然な感覚の操作によってカムロック機構のロック解除を可能とし、その操作性の向上を図ることである。
他の一つの目的は、カムロック機構のロックを解除するときに、操作者が腕を後方側にもっていくなどの身体に負担がかかるのを避けた楽な操作を可能とすることである。
【課題を解決するための手段】
【０００６】
本発明は、上記の目的を達成するためのもので、以下のように構成されている。
第１の発明は、開口部を有するボックス本体と、このボックス本体の開口部が開放された開状態および該開口部が閉ざされた閉状態に操作することが可能な蓋体と、ボックス本体と蓋体との間に設けられて蓋体を開状態でロックするように機能するカムロック機構とを備えたコンソールボックスであって、ボックス本体の側に操作力の伝達部材が設けられている。この伝達部材の操作により、カムロック機構に対してそのロックを解除するための操作力を与えるように構成されている。
【０００７】
この構成においては、ボックス本体の側に設けられている伝達部材を操作することで、蓋体を開状態でロックしているカムロック機構のロックを解除できるため、分かりやすい自然な感覚の操作によって蓋体を閉状態にすることができ、その操作性が向上する。
【０００８】
第２の発明は、第１の発明において、操作力の伝達部材は、その操作部がコンソールボックスの前方側に位置するように配置されている。
これにより、カムロック機構のロックを解除するために操作者が腕を後方側にもっていく必要がなく、身体の動きに負担のない楽な操作が可能になる。
【図面の簡単な説明】
【０００９】
【図１】実施の形態１の蓋体が閉状態のコンソールボックスを表した外観斜視図。
【図２】実施の形態１の蓋体が開状態のコンソールボックスを表した外観斜視図。
【図３】実施の形態１の蓋体が閉状態のコンソールボックスを表した断面図。
【図４】実施の形態１の蓋体が開状態のコンソールボックスを表した断面図。
【図５】図４においてカムロック機構のロックを解除した状態を表した断面図。
【図６】図５から蓋体が閉じる方向へ作動している状態を表した断面図。
【図７】実施の形態２の蓋体が閉状態のコンソールボックスの一部を表した断面図。
【図８】実施の形態２の蓋体が開状態のコンソールボックスの一部を表した断面図。
【図９】図８においてカムロック機構のロックを解除した状態を表した断面図。
【図１０】図９から蓋体が閉じる方向へ作動している状態を表した断面図。
【図１１】実施の形態３の蓋体が閉状態のコンソールボックスを表した断面図。
【図１２】実施の形態３の蓋体が開状態のコンソールボックスを表した断面図。
【図１３】図１２においてカムロック機構のロックを解除した状態を表した断面図。
【発明を実施するための形態】
【００１０】
以下、本発明を実施するための形態を、図面を用いて説明する。
実施の形態１
まず、本発明における実施の形態１を図１〜図７によって説明する。
これらの図面で示されているコンソールボックス１０の構成は、ボックス本体１２と蓋体２０とに大別される。ボックス本体１２の内部は、物入れとして使用される収納部１４になっている。この収納部１４に対しては、ボックス本体１２の上面で開放された開口部１６からアクセスすることが可能である。
【００１１】
蓋体２０は、コンソールボックス１０の後方位置を支点として回動させることができ、それによってボックス本体１２の開口部１６を開閉することができる。つまり、この蓋体２０は、開口部１６が開放された開状態（図２および図４）あるいは開口部１６が閉ざされた閉状態（図１および図３）に操作することが可能である。
本実施の形態におけるコンソールボックス１０では、蓋体２０の上面が小物等を入れる凹形状の皿２１になっている。しかし、コンソールボックス１０の形式によっては、閉状態における蓋体２０の上面を、運転席と助手席との間でアームレストとして兼用できるように構成される場合もある。
【００１２】
蓋体２０は、コンソールボックス１０の後方位置において支持アーム２２によってボックス本体１２に支持されている。支持アーム２２は、ほぼ半円弧状に湾曲した部分の一端部が蓋体２０に結合され、この湾曲部分の他端部から直線状に延びた部分の端部が、回転軸２４によってボックス本体１２に回転可能に結合されている。したがって、蓋体２０は支持アーム２２の回転軸２４を支点として回動することができ、それによってボックス本体１２の開口部１６を開閉することができる。
支持アーム２２には、その回転軸２４を支点として支持アーム２２と一体的に回動する連動アーム２６が固定されている。この連動アーム２６は、つぎに説明するカムロック機構３０の一要素として機能する。
【００１３】
コンソールボックス１０は、蓋体２０の開閉に伴う支持アーム２２の回動に連動して機能するカムロック機構３０を備えている。このカムロック機構３０は、図３および図４で示すカムプレート３４を有し、このカムプレート３４はボックス本体１２に対し、回転軸３５によって回転可能に結合されている。また、カムプレート３４には、支持アーム２２の回転軸２４を中心とする円弧に沿った形状のガイド溝３６が形成されている。このガイド溝３６の一方（例えば図３の上方）の端部は、ロック用のカム部３８になっている。
なお、カムプレート３４に対しては、回転軸３５を支点として図３および図４の反時計回り方向へバネなどによる付勢力を付与しておくことが好ましい。この場合、カムプレート３４の反時計回り方向への回動位置は、図３あるいは図６で示す位置で規制される。
【００１４】
カムプレート３４のガイド溝３６には、連動アーム２６の先端部に固定されたロックピン３２が係合している。このロックピン３２は、蓋体２０の開閉に伴って支持アーム２２および連動アーム２６が回転軸２４を支点として回動することにより、ガイド溝３６内を移動する。そして、図４で示すようにロックピン３２がガイド溝３６のカム部３８に位置することにより、カムロック機構３０がロックされ、蓋体２０は開状態に保持される。
カムロック機構３０を構成する連動アーム２６およびカムプレート３４は、コンソールボックス１０の意匠性を保つために、ボックス本体１２の内外壁間に収められている。
【００１５】
ボックス本体１２には、カムロック機構３０に対してそのロックを解除するための操作力を伝えるロッド形状の伝達部材４０が前後方向へ移動可能に設けられている。この伝達部材４０は、ボックス本体１２の側面を構成する内外壁間に配置されているものの、その基端部４０ａがボックス本体１２の前方側の中央に位置する形状に設定されている。また、伝達部材４０の先端部４０ｂは、カムプレート３４の後方面における回転軸３５からずれた箇所に対し、接触もしくは僅かな隙間をもって対向している。
【００１６】
ボックス本体１２における前方側の上面中央には、ロック解除操作のための操作ノブ４２が設けられている。この操作ノブ４２は、ボックス本体１２内に位置するステー４３を有し、上方からのプッシュ操作によってステー４３と共に押し下げられる。そして、ステー４３の下端部は伝達部材４０の基端部４０ａに対して互いに斜面（カム面）で接触している。これにより、操作ノブ４２およびステー４３の垂直移動が、伝達部材４０を後方へ水平に移動させる力に変換して伝えられる。
蓋体２０の閉状態における操作ノブ４２は、図３で示すように蓋体２０の前方側で被われており、この蓋体２０を開状態に操作したときにプッシュ操作が可能な状態となる（図２および図４）。
【００１７】
つづいて、蓋体２０の開閉操作に伴うカムロック機構３０の機能について説明する。
図１および図３で示すように閉状態にある蓋体２０を開く方向へ回動操作することにより、該蓋体２０は図２および図４で示す開状態においてカムロック機構３０でロックされる。そして、カムロック機構３０のロックを解除することにより、蓋体２０は自重で閉じる方向へ回動して再び閉状態になる。
ここで、カムロック機構３０の機能をより詳細に説明すると、閉状態にある蓋体２０を開く方向へ回動操作したときは、それに伴って支持アーム２２および連動アーム２６が回転軸２４を支点として回動し、ロックピン３２がガイド溝３６内をカム部３８に向かって移動する。このロックピン３２がガイド溝３６内を移動することと、それに伴ってカムプレート３４が回転軸３５を支点として僅かに回転することとにより、前述のようにロックピン３２がガイド溝３６のカム部３８に位置する。その結果、カムロック機構３０がロックされて蓋体２０は開状態に保持される（図４）。
【００１８】
開状態に保持されている蓋体２０を閉ざすには、操作ノブ４２をプッシュ操作することによって伝達部材４０が後方へ移動し、その先端部４０ｂでカムロック機構３０のカムプレート３４を押す。これに伴ってカムプレート３４が回転軸３５を支点として図４の時計回り方向へ回動し、ロックピン３２がガイド溝３６のカム部３８から相対的に外れ、カムロック機構３０のロックが解除される（図５）。その結果、蓋体２０が自重で閉じる方向へ回動し始め、ロックピン３２はカムプレート３４のガイド溝３６内をカム部３８から離れる方向へ移動する（図６）。そして、蓋体２０は図１および図３で示す閉状態になる。
なお、コンソールボックス１０は、一般に蓋体２０を閉状態に保持する手段を備えている。この手段としては、閉状態の蓋体２０とボックス本体１２とをロックし、レバー操作でロックが解除されるロック手段（図示省略）などがある。
【００１９】
以上のように構成されたコンソールボックス１０においては、ボックス本体１２側に設けられている伝達部材４０の作動により、蓋体２０を開状態に保持しているカムロック機構３０のロックを解除できることから、この操作を分かりやすい自然な感覚で行うことができる。また、伝達部材４０の操作部である操作ノブ４２はボックス本体１２の前方側にあることから、カムロック機構３０のロックを解除するときに、従来のように蓋体２０を直接操作するのと異なり、操作者は腕を後方側にもっていく必要がなく、身体の動きに負担のない操作が可能である。
特に操作ノブ４２は、蓋体２０を開状態に操作したときにボックス本体１２における前方側の上面中央に現われるので、操作者は該操作ノブ４２がロック解除用であることを明確に認識でき、より分かりやすい操作を行うことができる。
【００２０】
実施の形態２
つぎに、本発明における実施の形態２を図７〜図１０によって説明する。なお、実施の形態２において、実施の形態１と同一もしくは均等な機能を有する構成要素には、図面に同一の符号を付すことによって重複する説明を省略する。また、図１１〜図１３で示す実施の形態３についても同様にして説明を簡略化する。
【００２１】
実施の形態２では、カムロック機構３０にハートカム形式が採用されているとともに、該カムロック機構３０のロックを解除する際は、開状態の蓋体２０側を後方（開方向）へ押す構成になっている。
具体的には、カムロック機構３０を構成するカムプレート３４のガイド溝３６内に略ハート形をしたロック用のカム部３９が設けられている。また、ガイド溝３６には、蓋体２０の支持アーム２２に固定されたロックピン３２が係合している。そこで、蓋体２０の開閉操作によって支持アーム２２が回転軸２４を支点として回動すると、ロックピン３２がガイド溝３６内を移動する。このロックピン３２がガイド溝３６内を移動することと、それに伴ってカムプレート３４が回転軸３５を支点として僅かに回転することとにより、ロックピン３２はカム部３９の周りを巡るように移動する。そして、ロックピン３２がカム部３９のハート形状の窪み部分に位置することにより、カムロック機構３０がロック状態になる（図８）。
また、カムロック機構３０のロックを解除する操作力の伝達部材４０は、ボックス本体１２に対して前後方向へ移動可能に設けられている。この伝達部材４０の基端部４０ａはボックス本体１２の前方側において外に突出しており、先端部４０ｂは支持アーム２２に対して接触もしくは僅かな隙間をもって対向している。
【００２２】
実施の形態２において、図７で示すように閉状態にある蓋体２０を開く方向へ回動操作したときは、それに伴う支持アーム２２の回動によってロックピン３２がガイド溝３６内を移動し、図８で示すようにロックピン３２がカム部３９のハート形状の窪み部分に位置する。これにより、カムロック機構３０がロックされて蓋体２０は図８で示す開状態に保持される。
開状態に保持されている蓋体２０を閉ざすには、伝達部材４０の基端部４０ａを操作して該伝達部材４０を後方へ移動させる。これにより、伝達部材４０の先端部４０ｂが支持アーム２２を押して蓋体２０を開く方向へ回動させ、図９で示すようにロックピン３２がカム部３９から相対的に外れ、カムロック機構３０のロックが解除される。その後は、図１０で示すように蓋体２０が自重で閉じる方向へ回動し始め、ロックピン３２はガイド溝３６内を移動し、蓋体２０は図７で示す閉状態になる。
【００２３】
実施の形態３
つぎに、本発明における実施の形態３を図１１〜図１３によって説明する。
実施の形態３では、コンソールボックス１０におけるスライド式のテーブル５０をボックス本体１２に対する一種のスライド式ドア（蓋体）とみなし、これにカムロック機構３０を適応させている。
テーブル５０は、ボックス本体１２に対してスライドレール５２により、前後方向へスライドできるようになっている。つまり、このテーブル５０は、そのスライドによってボックス本体１２の上面（開口部１６）が開放された開状態（図１２）および開口部１６が閉ざされた閉状態（図１１）に操作することが可能である。
【００２４】
この実施の形態３におけるカムロック機構３０には、実施の形態２と同様のハートカム形式のカムプレート３４が採用されているとともに、カムロック機構３０のロックを解除する際は、実施の形態１の場合と同様にカムプレート３４側を後方へ押す構成になっている。実施の形態２の場合と同様に、カムプレート３４のガイド溝３６内に略ハート形をしたロック用のカム部３９が設けられている。また、テーブル５０は、そのスライドによって共に移動する連動アーム５４を備えており、この連動アーム５４にはロックピン３２が固定されている。
連動アーム５４およびロックピン３２は、テーブル５０の閉状態（図１１）ではカムプレート３４から離れており、該テーブル５０を開状態（図１２）にスライドさせることでロックピン３２がカムプレート３４のガイド溝３６に係合する。そして、ロックピン３２がガイド溝３６内を移動することと、それに伴ってカムプレート３４が回転軸３５を支点として僅かに回転することとにより、実施の形態２の場合と同様にロックピン３２がカム部３９の窪み部分に位置し、カムロック機構３０がロック状態になる（図１２）。
【００２５】
実施の形態３においても、カムロック機構３０のロックを解除するための操作力の伝達部材４０は、ボックス本体１２に対して前後方向へ移動可能に設けられている。この伝達部材４０の基端部４０ａと、操作ノブ４２のプッシュ操作によって一体的に押し下げられるステー４３の下端部とは、互いに斜面（カム面）で接触している。これにより、実施の形態１の場合と同様に操作ノブ４２およびステー４３の垂直移動が、伝達部材４０を後方へ水平に移動させる力に変換して伝えられる。また、伝達部材４０の先端部４０ｂは、カムプレート３４に対して接触もしくは僅かな隙間をもって対向している。
【００２６】
実施の形態３のテーブル５０が図１１で示す閉状態から図１２で示す開状態にスライド操作されると、前述のように連動アーム５４のロックピン３２がカムプレート３４のガイド溝３６に係合した後、カム部３９の窪み部分に位置する。これにより、カムロック機構３０がロックされてテーブル５０は図１２で示す開状態に保持される。
開状態のテーブル５０を閉状態に戻すには、操作ノブ４２のプッシュ操作によって伝達部材４０を後方へ移動させる。これにより、伝達部材４０の先端部４０ｂがカムプレート３４を押し、このカムプレート３４が回転軸３５を支点として回動する。これに伴い、図１３で示すようにロックピン３２がカム部３９から相対的に外れ、カムロック機構３０のロックが解除される。その後は、テーブル５０が自重もしくはスプリングなどの付勢力によってスライドし、このテーブル５０は図１１で示す閉状態に復帰する。
【符号の説明】
【００２７】
１０ コンソールボックス
１２ ボックス本体
１６ 開口部
２０ 蓋体
３０ カムロック機構
４０ 伝達部材
【図１】
2010173449.tif 000003
【図２】
2010173449.tif 000004
【図３】
2010173449.tif 000005
【図４】
2010173449.tif 000006
【図５】
2010173449.tif 000007
【図６】
2010173449.tif 000008
【図７】
2010173449.tif 000009
【図８】
2010173449.tif 000010
【図９】
2010173449.tif 000011
【図１０】
2010173449.tif 000012
【図１１】
2010173449.tif 000013
【図１２】
2010173449.tif 000014
【図１３】
2010173449.tif 000015